(57)【要約】【課題】小型光ディスクドライブ内での光ディスクカートリッジの占有面積が少なく、ユーザに対してドライブ装置へのディスク挿入方向がわかりやすい小型光ディスク装置を提供することである。【解決手段】光カートリッジケースの形状を略D字形状とし、その半円形部分に略扇形の開口窓を設け、ディスク中心を回転軸として回転して前記開口窓を開閉するシャッターを具備させる。【効果】コンパクトフラッシュType-IIサイズ内でのカートリッジとアクチュエータの配置が可能となるとともに、ディスク挿入方向の間違いが少なくなる。【選択図】図１
2007102885.tif 000002
【特許請求の範囲】
【請求項１】
カートリッジケースに入った光ディスクであって、前記光カートリッジケースは略D字形状であることを特徴とする光ディスク。
【請求項２】
請求項１に記載の光ディスクカートリッジケースにおいて、前記D字形状の半円形部分に半円形の円弧部に沿った円弧を持つ略扇形の開口窓があり、ディスク中心を回転軸として回転して前記開口窓を開閉するシャッターを具備したことを特徴とする光ディスク。
【請求項３】
請求項１に記載の光ディスクカートリッジケースにおいて、前記D字形状の矩形部分に長方形のラベルを貼り付けるための領域がわずかに凹んでいることを特徴とする光ディスク。
【請求項４】
請求項２に記載のシャッターが、ディスクカートリッジ内部に隠れるように開くことを特徴とする光ディスク。
【請求項５】
請求項２に記載の開口窓において、略扇形形状の円弧を挟む２つの半径部分の少なくとも一方が、ディスク外縁より外側かつ、D字形状上下範囲内の領域に曲率中心をもつ円弧によって形成されていることを特徴とする光ディスク。
【請求項６】
請求項５に記載の光ディスクにおいて、略扇形形状がD字形状の中心線にそって対称な円弧であることを特徴とする光ディスク。
【請求項７】
請求項１から６のカートリッジケースに内蔵する光ディスクの直径が25mm以上30mm以下、カートリッジの厚さが２mm以下であることを特徴とする光ディスク。
【請求項８】
請求項２に記載の光ディスクにおいて、前記シャッター部分表面に、D字形状の円弧を上に見て正対する文字が書かれていることを特徴とする光ディスク。
【請求項９】
請求項１から８の光ディスクを装着する光ディスク装置であって、前記光ディスクの挿入口が形成された面に相対する面に、前記光ディスク装置と接続する外部機器と電気的接続を行なうためのインターフェース端子部が形成され、前記挿入口が円弧状の切り欠きをもち、前記光ディスクのD字形状の円弧部から挿入する光ディスク装置。
【請求項１０】
請求項８に記載の光ディスクを装着する光ディスク装置であって、前記光ディスク装置の表面に前期文字と同じ文字が、前記光ディスクを挿入する方向に配置したとき前記文字と同じ方向となるように表示されていることを特徴とする光ディスク装置。
【請求項１１】
請求項９に記載の光ディスク装置であって、装置外形と、外部機器の接続インターフェースがコンパクトフラッシュType−IIに準拠した形状であることを特徴とする光ディスク装置。
【発明の詳細な説明】
【技術分野】
【０００１】
本発明は情報を記録再生する光ディスク装置に関し、特に携帯端末に搭載する超小型光ディスク装置に関する。
【背景技術】
【０００２】
デジタルカメラ、電子手帳、ビデオカメラ、携帯音楽プレーヤ、携帯電話、携帯ゲーム端末、ノートパソコンなど、さまざまな携帯型の情報端末において用いられる情報保存メディアとしては、半導体メモリ、ハードディスク、光ディスクがある。半導体メモリは、最も、振動や衝撃に強く、小型化しやすいことが特徴とであり、デジタルカメラや電子手帳、携帯電話などに広く用いられている。反面、非常に複雑なプロセスと、高価な設備で生産されるため、低価格化がしにくいという欠点がある。磁気ディスクは高速な入出力が可能で、大容量化のため、ノートパソコンのストレージとして一般的だったのに加えて、近年の小型低価格化により、携帯音楽プレーヤなどにも用いられ始めている。光ディスクは半導体メモリやハードディスクに比べ、媒体が低価格で、取り外しが容易な特徴がある上、再生専用媒体の低価格大量生産が容易なため、音楽やビデオコンテンツの頒布や、パソコンのバックアップメディアとして広く用いられてきた。携帯端末においてはビデオカメラや、携帯音楽プレーヤ、携帯ゲーム端末などに用いられている。しかし半導体メモリや磁気ディスクに比べ、ドライブ装置を小型化しにくい欠点があり、デジタルカメラや電子手帳、携帯電話などへの搭載は困難であった。
【０００３】
光ディスクをさらに小型化する従来の技術はたとえば特許文献１、および特許文献２に述べられている。ここでは光学系を小さく一体型に構成し、スイングアーム型のアクチュエータに搭載して光ディスクの内周から外周までのアクセスと、フォーカス、トラッキング制御を行なう構成が示されている。
【０００４】
【特許文献１】USP−US6687215B1
【０００５】
【特許文献２】USP−5481420
【発明の開示】
【発明が解決しようとする課題】
【０００６】
特許文献１に記載の光ディスクにおいては、カートリッジ形状が長方形であるため、ドライブ装置内の占有底面積が大きく、装置内部品の配置上、厚さが厚くなるという欠点がある。また長方形だと、ユーザが装置にディスクを挿入する場合に挿入方向を間違えるおそれがある。さらにディスクが装着されると、ディスクは装置の中に完全に埋没するため、ディスクイジェクトのためにはイジェクトの機構が必要となり、それも装置サイズを大きくする要因となる。
【０００７】
特許文献２に記載の光ディスクにおいては、ドライブ底面の長方形に対して短い辺にあたる側面から光ディスクを挿入する形態となっており、コンパクトフラッシュType−II（コンパクトフラッシュは米国サンディスク社の登録商標である）とは整合しない。コンパクトフラッシュType-IIの装置形状は装置底面の長方形の長い辺にあたる側面にインターフェース端子があり、外部機器への接続は一般に端子面から外部機器に形成された挿入口に挿入する。したがって外部機器に装着した状態で光ディスクの出し入れを可能とするためには、インターフェース端子面と相対する面に光ディスクの挿入口がある必要がある。さらに特許文献１と同様に、ディスクが装着されると、ディスクは装置の中に完全に埋没するため、ディスクイジェクトのためにはイジェクトの機構が必要となり、それも装置サイズを大きくする要因となる。
【０００８】
以上から、本発明において解決しようとする課題は、小型光ディスクドライブ内での光ディスクカートリッジの占有面積が少なく、ユーザに対してドライブ装置へのディスク挿入方向がわかりやすく、コンパクトフラッシュType-IIに準拠したドライブ外形とインターフェースを備え、ディスクのみを取り替えることが可能で、ユーザの手によるディスク交換が可能な、小型光ディスクと小型光ディスク装置を提供することである。
【課題を解決するための手段】
【０００９】
上記課題を解決するために、本発明においては、光カートリッジケースの形状を略D字形状とし、その半円形部分に略扇形の開口窓を設け、ディスク中心を回転軸として回転して前記開口窓を開閉するシャッターを具備させる。さらにD字形状の矩形部分に長方形のラベルを貼り付けるための領域をわずかに凹ませて、ラベルを貼る領域であることを示すとともに、指でつまむ領域であることを明確にする。また扇形の開口部であっても十分開口領域が広くとれるようにするために、シャッターはディスクカートリッジ内部に隠れるように開く構造とさせる。
【００１０】
さらに略扇形形状の円弧を挟む２つの半径部分の少なくとも一方が、ディスク外縁より外側かつ、D字形状上下範囲内の領域に曲率中心をもつ円弧によって形成させる。また円弧の曲率中心はスイングアームアクチュエータのピボットに当たるが、それがディスク外縁より外側にあり、なおかつD字形状の上下範囲内とすることによって、ドライブ内部のスイングアームの配置をディスク挿入方向延長線上から脇にずらすことができる。
【００１１】
またあるいは略扇形形状がD字形状の中心線にそって対称な円弧であるようにすることにより、ディスクカートリッジが表面と裏面で対象となるので、これによって、両面ディスクが可能となる。
【００１２】
これらのカートリッジケースに内蔵する光ディスクの直径が25mm以上30mm以下、カートリッジの厚さ２mm以下とする。ディスクが小さいことはある意味で好ましいことではあるが、あまり小さいと記録容量が少なくなるとともに、ハンドリングが難しくなる、こどもが飲み込む事故の可能性が増大する、と言った欠点がある。
【００１３】
また前記シャッター部分表面に、D字形状の円弧を上に見て正対する文字を表示する。
【００１４】
また前記光ディスクの挿入口が形成された面に相対する面に、前記光ディスク装置と接続する外部機器と電気的接続を行なうためのインターフェース端子部が形成され、前記挿入口が円弧状の切り欠きをもち、前記光ディスクのD字形状の円弧部から挿入する。
【００１５】
また前記光ディスク装置の表面に前期文字と同じ文字が、前記光ディスクを挿入する方向に配置したとき前記文字と同じ方向となるように表示されているようにする。
【００１６】
また装置外形と、外部機器の接続インターフェースがコンパクトフラッシュType−IIに準拠した形状とする。
【発明の効果】
【００１７】
上記手段により以下のような効果が期待できる。
【００１８】
シャッターの形状などを上記のように工夫することにより、カートリッジのディスク挿入側を半円形にすることを可能となり、ドライブ内部において、ディスクカートリッジの占める領域を少なくせしめ、ドライブ全体をコンパクトフラッシュType-IIサイズまで小型化できる。
【００１９】
さらに略扇形形状の円弧を挟む２つの半径部分の少なくとも一方が、ディスク外縁より外側かつ、D字形状上下範囲内の領域に曲率中心をもつ円弧によって形成させることにより、振動に強く、ヘッド位置の自己保持能力がありモバイルに適したアクチュエータであるスイングアームアクチュエータにおいて、開口部を最小とすることができる。これによりシャッターも小型化でき、ディスクカートリッジ全体の厚さを薄くすることができる。また円弧の曲率中心はスイングアームアクチュエータのピボットに当たるが、それがディスク外縁より外側にあり、なおかつD字形状の上下範囲内とすることによって、ドライブ内部のスイングアームの配置をディスク挿入方向延長線上から脇にずらすことができ、ドライブのディスク挿入方向の幅を短くできる。これによりコンパクトフラッシュType-IIサイズ内でのカートリッジとアクチュエータの配置が可能となる。
【００２０】
また略扇形形状がD字形状の中心線にそって対称な円弧であるようにすることにより、ディスクカートリッジが表面と裏面で対象となるので、これによって、両面ディスクが可能となり、ディスク１枚の記録容量を拡大することができる。
【００２１】
これらのカートリッジケースに内蔵する光ディスクの直径が25mm以上30mm以下、カートリッジの厚さ２mm以下とすることにより、コンパクトフラッシュType-IIサイズ（４３×３６×５ｍｍ）への収納が可能となる。
【００２２】
また前記シャッター部分表面に、D字形状の円弧を上に見て正対する文字を表示する。ことによりユーザがカートリッジを指でつまんだとき、ドライブへの挿入方向が自然に正しい方向となるようにできる。
【００２３】
また前記光ディスクの挿入口が形成された面に相対する面に、前記光ディスク装置と接続する外部機器と電気的接続を行なうためのインターフェース端子部が形成され、前記挿入口が円弧状の切り欠きをもち、前記光ディスクのD字形状の円弧部から挿入することにより、上記と同様に自然にカートリッジの挿入方向が正しい方向となる。また切り欠きにより装着した状態でユーザがディスクを指でつまむことが可能となり、カートリッジのイジェクトの機構が不要となって、ドライブ装置をコンパクトフラッシュType-IIサイズとすることができる。
【００２４】
また前記光ディスク装置の表面に前期文字と同じ文字が、前記光ディスクを挿入する方向に配置したとき前記文字と同じ方向となるように表示することによりユーザがディスクをつまんでドライブ装置に挿入する場合に、自然にディスクの文字の方向をドライブの文字の方向に合わせることになり、間違った方向にディスクカートリッジを挿入するのを防ぐ効果が高くなる。
【００２５】
また装置外形と、外部機器の接続インターフェースがコンパクトフラッシュType−IIに準拠した形状とする。これによりすでにコンパクトフラッシュインターフェースを具備した機器にそのまま本発明の光ディスク装置を装着することができ、容易にさまざまな機器で本発明の小型光ディスクを利用することができるようになる。
【発明を実施するための最良の形態】
【００２６】
以下、本発明を実施するための最良の形態を、図を用いて説明する。
【実施例１】
【００２７】
図１は本発明の第１の実施例の基本的な概念を示す図である。ディスクカートリッジ１はD字形状となっており、円弧部に略扇型状の開口窓があり、そこにシャッター２が装着されている。扇の円弧を挟む２つの半径に当たる線の一方が円弧状になっている。ユーザの指がカートリッジ１をつまむときに、シャッター２に表示された文字に正対するようにつまむことになり、同じ文字が表示された光ディスク装置４の切り欠き５のある挿入口からディスクを挿入する際に間違った方向で挿入することが少なくなる。光ディスク装置４はコンパクトフラッシュType-IIの外形に準拠しており、切り欠きと相対する面に図示されないインターフェース端子が形成されている。光ディスク装置４は、ノートパソコンなどの携帯情報端末６の挿入口７から装着できるようになっており、装着した状態でディスク挿入口がドライブ装置挿入口７から見えている状態になるため、ドライブ装置に装置が装着されたままでディスクカートリッジ１の出し入れが可能となる。
【００２８】
図２は本発明の第１の実施例のディスクカートリッジの例である。表面のシャッター２はカートリッジの内部に回転して収納されるようになっている。表面側のシャッター２の反対側の矩形部にラベル貼り付け領域21がわずかに凹ませて形成されている。扇型の開口窓の２つの半径に当たる線の一方が円弧状になっており、その曲率中心22はディスク外縁より外であり、かつDの字の対称線23にそったDの字の上下範囲からはずれた位置にある。本実施例においては裏面にも開口がある。これは両面ディスクがドライブ装置に装着された状態で、ディスクの上下位置に２つの光ヘッドがアクセスできるようになっていることを想定している。カートリッジの材質は光ディスクの回折による虹模様が見えるのがデザイン的には好ましいので、透明なプラスチック、あるいは透明な色つきプラスチックが望ましいが、構造上は不透明でも差し支えない。シャッター部は薄くて丈夫にする必要から金属が望ましい。
【００２９】
図３は試作した本発明のドライブ装置とディスクカートリッジの写真である。サイズを示すために５００円硬貨と、米国の２５セント硬貨を並べて撮影されている。これによりドライブサイズがコンパクトフラッシュType-IIサイズであることがわかる。ディスクカートリッジはドライブ装置のディスク挿入口から少し挿入した状態、半分程度挿入した状態、ほぼ全体が挿入された状態の３つの状態を並べている。ドライブ装置のディスク挿入口には円弧状の切り欠きがあり、完全にディスクカートリッジが挿入された状態でも、ユーザが指でつまむことができる。これにより、ディスク内部には特にカートリッジのイジェクトのための機構が不要である。
【００３０】
図４は試作したドライブ装置を、コンパクトフラッシュType-IIインターフェース接続端子部41が見える方向から撮影した写真である。切り欠き５の対向面側に端子部41があることがわかる。
【００３１】
図５は試作したドライブ装置を、ディスク挿入口51が見える側から撮影した写真である。ドライブ装置表面の文字は挿入口側から見たときに正対する方向に表示されている。
【００３２】
図６はドライブ装置内部の部品配置の概略図である。カートリッジ２は、切り欠き５が形成されているディスク挿入口から、ドライブ装置４に、円弧部を先にして挿入されている。シャッター２は図示しないシャッター開閉機構によりディスク中心を中心として回転して開いており、開口窓からはディスク３が露出している。シャッター２は開きながらスイングアーム６１に向けて開いた窓が進入する形となるため、スイングアーム６１は特にディスク領域から退避していなくても接触することはない。これによりヘッドの退避スペースが不要となるため、ドライブサイズを小さくすることができている。スイングアーム６１の先端には光ヘッド６３が装着されており、ディスク３上に光を集光し、反射光を受光して信号検出を行う。スイングアーム６１はピボット６２を中心に、マグネット６４の磁界中で、コイル６５に電流を流すことで電磁力を受けて回転する。光ヘッド６２からの入出力信号ラインはフレキシブルケーブル６６を介して電気回路６７に入力される。電気回路６８はカートリッジ２の先端を円弧状とすることによってできたスペースにも配置されている。
【実施例２】
【００３３】
図７は本発明の第二の実施例を示す図である。ディスクカートリッジ７１の中心線７４に対して、シャッター７２の覗く開口窓が対称な形状になっている。これはスイングアーム６１が１つだけである場合でも、ディスクカートリッジを裏返して挿入することにより、両面にアクセスできる構成となっている。これにより、さらにドライブ装置の薄型化が可能となる。
【産業上の利用可能性】
【００３４】
本発明により、光ディスク装置がコンパクトフラッシュType-II規格に準拠したドライブサイズにてリムーバブル光ディスク装置が実現でき、従来からコンパクトフラッシュを搭載している携帯端末で、光ディスク装置が用いられるようになる。また同規格を搭載すればコンパクトフラッシュメモリもハードディスクも光ディスクも、入れ替えて容易に搭載可能な携帯端末が実現でき、応用範囲が広がるものと期待される。
【図面の簡単な説明】
【００３５】
【図１】本発明による光ディスク装置の基本概念を示す図。
【図２】本発明の第１の実施例のディスクカートリッジの例。
【図３】試作した本発明のドライブ装置とディスクカートリッジの写真。
【図４】試作したドライブ装置を、コンパクトフラッシュType-IIインターフェース接続端子部が見える方向から撮影した写真。
【図５】試作したドライブ装置を、ディスク挿入口が見える側から撮影した写真。
【図６】ドライブ装置内部の部品配置の概略図。
【図７】本発明による光ヘッドの第二の実施例を示す図。
【符号の説明】
【００３６】
1：ディスクカートリッジ、２：シャッター、３：光ディスク、４：光ディスク装置、５：切り欠き、６：携帯情報端末、７：ドライブ装置挿入口、２１：ラベル貼り付け領域、２２：曲率中心、２３：ディスク対称線、６１：スイングアーム、６２：ピボット、６３：光ヘッド、６４：マグネット、６５：コイル、６６：フレキシブルケーブル、６７、６８：電気回路。
【図６】
2007102885.tif 000003
【図７】
2007102885.tif 000004
【図１】
2007102885.tif 000005
【図２】
2007102885.tif 000006
【図３】
2007102885.tif 000007
【図４】
2007102885.tif 000008
【図５】
2007102885.tif 000009